(57)【要約】【課題】  津波警報の発令時に、最適な避難場所までの避難経路を、周辺の端末装置に通知可能な携帯端末装置を提供する。【解決手段】  携帯端末装置（１）は、津波警報を受信すると、自装置の現在位置に基づいて、自装置が津波の発生が予想される津波予報区内に存在するか否かを判定し、存在する場合には、自装置の現在位置と、自装置が存在している津波予報区についての津波の高さと、避難場所情報とに基づいて、自装置周辺に位置する避難場所の中から最適な避難場所を決定するとともに、現在位置から最適な避難場所までの避難経路を作成し、最適な避難場所および避難経路を含む避難情報を画面表示してユーザに報知するとともに、最適な避難場所および避難経路を含む避難情報を近距離無線通信によって周辺の端末装置へ転送する。【選択図】      図４
2014174759.tif 000002
【特許請求の範囲】
【請求項１】
通信ネットワークを介して配信される津波予報区の情報を含む津波警報を受信する津波警報受信部と、
通信ネットワークを介して配信される、津波の発生が予想される津波予報区について予想されている津波の高さの情報を含む津波情報を受信する津波情報受信部と、
自装置の現在位置を測位する現在位置測位部と、
前記現在位置測位部によって測位された現在位置を示す情報を記憶する現在位置情報記憶部と、
津波に対する避難場所を示す情報であって、前記避難場所の位置および対応可能な津波の高さの情報を含む避難場所情報を記憶する避難場所情報記憶部と、
前記津波警報受信部が津波警報を受信した場合に、前記現在位置情報記憶部に記憶されている現在位置を示す情報に基づいて、自装置が津波の発生が予想される津波予報区内に存在するか否かを判定する判定部と、
前記判定部によって存在すると判定された場合に、前記津波情報受信部によって受信された津波情報から自装置が存在している津波予報区についての津波の高さを取得する津波高さ取得部と、
前記津波高さ取得部によって取得された津波の高さと、前記現在位置情報記憶部に記憶されている現在位置を示す情報と、前記避難場所情報記憶部に記憶されている避難場所情報とに基づいて、自装置周辺に位置する避難場所の中から最適な避難場所を決定する避難場所決定部と、
前記避難場所決定部によって決定された最適な避難場所の情報を表示する避難情報表示部と、
前記避難場所決定部によって決定された最適な避難場所の情報を、近距離無線通信によって周辺の端末装置へ転送する避難情報転送部とを含むことを特徴とする携帯端末装置。
【請求項２】
地図情報を記憶する地図情報記憶部と、
前記地図情報記憶部に記憶される地図情報に基づいて、前記現在位置情報記憶部に記憶されている現在位置から前記避難場所決定部によって決定された最適な避難場所までの避難経路を作成する避難経路作成部とをさらに含み、
前記避難情報表示部は、前記最適な避難場所の情報とともに、前記避難経路作成部によって作成された避難経路の情報を表示し、
前記避難情報転送部は、前記最適な避難場所の情報とともに、前記避難経路作成部によって作成された避難経路の情報を、近距離無線通信によって周辺の端末装置へ転送することを特徴とする請求項１に記載の携帯端末装置。
【請求項３】
避難場所に関する避難場所情報が蓄積された避難場所蓄積装置から、前記現在位置情報記憶部に記憶されている現在位置を示す情報に基づいて、自装置周辺に位置する避難場所に関する避難場所情報を予め定める周期で定期的に取得し、前記避難場所情報記憶部に記憶されている避難場所情報を、新たに取得された避難場所情報に更新する避難場所情報取得部をさらに含むことを特徴とする請求項１または２に記載の携帯端末装置。
【請求項４】
津波予報区ごとに、該津波予報区と該津波予報区に関して想定されている最も大きな津波の高さとを関連付けて記憶する想定津波高さ記憶部をさらに含み、
前記津波高さ取得部は、前記津波情報受信部が津波情報を受信できなかった場合には、前記想定津波高さ記憶部に記憶されている情報に基づいて、自装置が存在している津波予報区に関して想定されている最も大きな津波の高さを取得することを特徴とする請求項１〜３のいずれか１つに記載の携帯端末装置。
【請求項５】
コンピュータを、
通信ネットワークを介して配信される津波予報区の情報を含む津波警報を受信する津波警報受信部と、
通信ネットワークを介して配信される、津波の発生が予想される津波予報区について予想されている津波の高さの情報を含む津波情報を受信する津波情報受信部と、
自装置の現在位置を測位する現在位置測位部と、
前記現在位置測位部によって測位された現在位置を示す情報を記憶する現在位置情報記憶部と、
津波に対する避難場所を示す情報であって、前記避難場所の位置および対応可能な津波の高さの情報を含む避難場所情報を記憶する避難場所情報記憶部と、
前記津波警報受信部が津波警報を受信した場合に、前記現在位置情報記憶部に記憶されている現在位置を示す情報に基づいて、自装置が津波の発生が予想される津波予報区内に存在するか否かを判定する判定部と、
前記判定部によって存在すると判定された場合に、前記津波情報受信部によって受信された津波情報から自装置が存在している津波予報区についての津波の高さを取得する津波高さ取得部と、
前記津波高さ取得部によって取得された津波の高さと、前記現在位置情報記憶部に記憶されている現在位置を示す情報と、前記避難場所情報記憶部に記憶されている避難場所情報とに基づいて、自装置周辺に位置する避難場所の中から最適な避難場所を決定する避難場所決定部と、
前記避難場所決定部によって決定された最適な避難場所の情報を表示する避難情報表示部と、
前記避難場所決定部によって決定された最適な避難場所の情報を、近距離無線通信によって周辺の端末装置へ転送する避難情報転送部として機能させることを特徴とする避難支援プログラム。
【発明の詳細な説明】
【技術分野】
【０００１】
本発明は、携帯端末装置および避難支援プログラムに関する。
【背景技術】
【０００２】
大地震の発生時、沿岸地域にいる場合には、津波に備えて素早く避難することが重要となる。たとえば、特許文献１には、このような場合に、ユーザに対して適切な避難場所までの避難経路を提示するように構成された携帯端末装置が開示されている。
【０００３】
この特許文献１に開示されている従来の技術では、携帯端末装置が、津波の発生が予想される津波予報区およびその津波予報区に発生する津波の予想高さとを含む津波警報を発信する発信装置からインターネット経由で津波警報を受信すると、記憶部に記憶されている避難場所に関する情報と、自装置の現在位置の情報とに基づいて、適正な避難場所を決定するとともに、その避難場所までの避難経路を作成し、作成した避難経路を、自装置に設けられている表示装置に表示させるように構成されている。これにより、携帯端末装置のユーザは、表示装置に表示された避難経路に基づいて、適切な避難場所まで素早く避難することができる。
【先行技術文献】
【特許文献】
【０００４】
【特許文献１】特開２０１１−２２７８７８号公報
【発明の概要】
【発明が解決しようとする課題】
【０００５】
特許文献１に開示されている従来の技術では、携帯端末装置が、インターネットを経由して発信装置から津波警報を受信可能な場所に位置していなければ、その携帯端末装置のユーザは、適切な避難場所までの避難経路を入手することができない。
【０００６】
また、大地震の発生時には、輻輳が発生して通信網がダウンしてしまうことが予測される。したがって、津波警報を受信不可能な場所から受信可能な場所に移動したとしても、その時点に通信網がダウンしていれば、発信装置から津波警報を受信することができず、やはり適切な避難場所までの避難経路を入手することができない。
【０００７】
本発明の目的は、津波警報の発令時に、最適な避難場所までの避難経路を、周辺の端末装置に通知可能な携帯端末装置および避難支援プログラムを提供することである。
【課題を解決するための手段】
【０００８】
本発明は、通信ネットワークを介して配信される津波予報区の情報を含む津波警報を受信する津波警報受信部と、
通信ネットワークを介して配信される、津波の発生が予想される津波予報区について予想されている津波の高さの情報を含む津波情報を受信する津波情報受信部と、
自装置の現在位置を測位する現在位置測位部と、
前記現在位置測位部によって測位された現在位置を示す情報を記憶する現在位置情報記憶部と、
津波に対する避難場所を示す情報であって、前記避難場所の位置および対応可能な津波の高さの情報を含む避難場所情報を記憶する避難場所情報記憶部と、
前記津波警報受信部が津波警報を受信した場合に、前記現在位置情報記憶部に記憶されている現在位置を示す情報に基づいて、自装置が津波の発生が予想される津波予報区内に存在するか否かを判定する判定部と、
前記判定部によって存在すると判定された場合に、前記津波情報受信部によって受信された津波情報から自装置が存在している津波予報区についての津波の高さを取得する津波高さ取得部と、
前記津波高さ取得部によって取得された津波の高さと、前記現在位置情報記憶部に記憶されている現在位置を示す情報と、前記避難場所情報記憶部に記憶されている避難場所情報とに基づいて、自装置周辺に位置する避難場所の中から最適な避難場所を決定する避難場所決定部と、
前記避難場所決定部によって決定された最適な避難場所の情報を表示する避難情報表示部と、
前記避難場所決定部によって決定された最適な避難場所の情報を、近距離無線通信によって周辺の端末装置へ転送する避難情報転送部とを含むことを特徴とする携帯端末装置である。
【０００９】
また本発明は、地図情報を記憶する地図情報記憶部と、
前記地図情報記憶部に記憶される地図情報に基づいて、前記現在位置情報記憶部に記憶されている現在位置から前記避難場所決定部によって決定された最適な避難場所までの避難経路を作成する避難経路作成部とをさらに含み、
前記避難情報表示部は、前記最適な避難場所の情報とともに、前記避難経路作成部によって作成された避難経路の情報を表示し、
前記避難情報転送部は、前記最適な避難場所の情報とともに、前記避難経路作成部によって作成された避難経路の情報を、近距離無線通信によって周辺の端末装置へ転送することを特徴とする。
【００１０】
また本発明は、避難場所に関する避難場所情報が蓄積された避難場所蓄積装置から、前記現在位置情報記憶部に記憶されている現在位置を示す情報に基づいて、自装置周辺に位置する避難場所に関する避難場所情報を予め定める周期で定期的に取得し、前記避難場所情報記憶部に記憶されている避難場所情報を、新たに取得された避難場所情報に更新する避難場所情報取得部をさらに含むことを特徴とする。
【００１１】
また本発明は、津波予報区ごとに、該津波予報区と該津波予報区に関して想定されている最も大きな津波の高さとを関連付けて記憶する想定津波高さ記憶部をさらに含み、
前記津波高さ取得部は、前記津波情報受信部が津波情報を受信できなかった場合には、前記想定津波高さ記憶部に記憶されている情報に基づいて、自装置が存在している津波予報区に関して想定されている最も大きな津波の高さを取得することを特徴とする。
【００１２】
また本発明は、コンピュータを、
通信ネットワークを介して配信される津波予報区の情報を含む津波警報を受信する津波警報受信部と、
通信ネットワークを介して配信される、津波の発生が予想される津波予報区について予想されている津波の高さの情報を含む津波情報を受信する津波情報受信部と、
自装置の現在位置を測位する現在位置測位部と、
前記現在位置測位部によって測位された現在位置を示す情報を記憶する現在位置情報記憶部と、
津波に対する避難場所を示す情報であって、前記避難場所の位置および対応可能な津波の高さの情報を含む避難場所情報を記憶する避難場所情報記憶部と、
前記津波警報受信部が津波警報を受信した場合に、前記現在位置情報記憶部に記憶されている現在位置を示す情報に基づいて、自装置が津波の発生が予想される津波予報区内に存在するか否かを判定する判定部と、
前記判定部によって存在すると判定された場合に、前記津波情報受信部によって受信された津波情報から自装置が存在している津波予報区についての津波の高さを取得する津波高さ取得部と、
前記津波高さ取得部によって取得された津波の高さと、前記現在位置情報記憶部に記憶されている現在位置を示す情報と、前記避難場所情報記憶部に記憶されている避難場所情報とに基づいて、自装置周辺に位置する避難場所の中から最適な避難場所を決定する避難場所決定部と、
前記避難場所決定部によって決定された最適な避難場所の情報を表示する避難情報表示部と、
前記避難場所決定部によって決定された最適な避難場所の情報を、近距離無線通信によって周辺の端末装置へ転送する避難情報転送部として機能させることを特徴とする避難支援プログラムである。
【発明の効果】
【００１３】
本発明によれば、津波警報が発令されたとき、適正な避難場所までの避難経路を取得することができた場合には、その避難経路の情報を近距離無線通信によって周辺の端末装置へ転送するように構成されている。したがって、津波警報を受信することができなかった端末装置であっても、最適な避難場所までの避難経路を入手することができ、その端末装置のユーザは、入手した避難経路に基づいて素早く避難することができる。
【図面の簡単な説明】
【００１４】
【図１】本発明の一実施形態に係る携帯端末装置１の主要な構成を示すブロック図である。
【図２】制御部１６が避難支援プログラムを実行することによって実現される各種の機能を示す機能ブロック図である。
【図３】避難支援プログラムの実行時の処理手順を示すフローチャートである。
【図４】避難支援プログラムの実行時の携帯端末装置１の動作を説明するための図である。
【発明を実施するための形態】
【００１５】
図１は、本発明の一実施形態に係る携帯端末装置１の主要な構成を示すブロック図である。携帯端末装置１は、たとえばスマートフォンによって実現され、図１に示すように、タッチパネル１１と、ＧＰＳ（Global Positioning System）ユニット１２と、移動体通信モジュール１３と、近距離無線通信モジュール１４と、記憶部１５と、制御部１６とを含んで構成される。
【００１６】
なお、本実施形態では、携帯端末装置１は、スマートフォンによって実現されているが、これに限らず、たとえばフィーチャーフォン、ＰＤＡ（Personal Digital Assistants）、ノートパソコン、携帯ゲーム機、およびポータブルナビゲーション装置などによって実現されてもよい。
【００１７】
タッチパネル１１は、画像が表示されるとともに、ユーザによってタッチ操作される矩形状の表示面を有し、その表示面が外部に露出するように、筐体内に収容されている。タッチパネル１１は、その表示面に画像データに応じた画像を表示する表示装置２１と、表示装置２１に重畳されたタッチセンサ２２とを有する。
【００１８】
表示装置２１は、たとえば液晶パネルおよびバックライトを備える液晶ディスプレイ装置や、有機ＥＬ（Electro-Luminescence）ディスプレイ装置などの公知の表示装置によって実現される。
【００１９】
タッチセンサ２２は、たとえば投影型静電容量方式のセンサによって実現され、ユーザが指やスタイラスなどを用いて、表示面に対して行ったタッチ操作の表示面上でのタッチ位置に対応する座標情報を、制御部１６へ与える。すなわち、タッチセンサ２２は、指令やデータを入力するための操作を受け付ける操作部として機能する。
【００２０】
ＧＰＳユニット１２は、ＧＰＳアンテナを備え、ＧＰＳ衛星から受信した信号に基づいて、その携帯端末装置１が現在所在している位置の緯度・経度を測位する。
【００２１】
移動体通信モジュール１３は、たとえばＩＭＴ−２０００（International Mobile Telecommunications 2000）規格に準拠した第３世代移動通信システムなどの移動体通信システムによる無線通信を実行する無線通信デバイスである。移動体通信モジュール１３は、移動体通信のセルラーネットワークの無線基地局との間で無線接続を確立することによって、ＣＤＭＡ（Code Division Multiple Access）等の方式によって無線通信を行う。
【００２２】
移動体通信モジュール１３は、本実施形態では、図１に示すように、インターネットなどの通信ネットワーク２を介して、津波警報配信装置３および避難場所蓄積装置４との間でデータ通信を行う。
【００２３】
近距離無線通信モジュール１４は、たとえばＺｉｇｂｅｅ（登録商標）およびＢｌｕｅｔｏｏｔｈ（登録商標）などの近距離無線通信規格に準拠して、他の端末装置との間で無線通信するための通信インタフェースとして機能する。
【００２４】
記憶部１５は、フラッシュメモリなどの半導体メモリによって実現され、携帯端末装置１の基本的な機能を実現するオペレーティングシステム（ＯＳ：Operating System）プログラムが記憶されるとともに、電話機能を実現するための電話プログラム、電子メール機能を実現するメールプログラム、電話帳機能を実現するための電話帳プログラム、およびＷｅｂブラウジング機能を実現するブラウザプログラムなどの種々のアプリケーションプログラムが記憶されている。
【００２５】
本実施形態では、この記憶部１５には、後述する避難支援処理を実行するためのアプリケーションプログラム（以下、「避難支援プログラム」と称する）が記憶されている。なお、この避難支援プログラムは、携帯端末装置１に予めインストールされていてもよく、または、インターネットからダウンロードするなどして取得して、インストールされてもよい。
【００２６】
制御部１６は、携帯端末装置１の各部の動作を制御する処理部であり、たとえばＣＰＵ（Central Processing Unit）によって実現される。制御部１６は、記憶部１５に記憶されるオペレーティングシステムプログラムおよびアプリケーションプログラムを実行することにより所定の処理を実行する。
【００２７】
図２は、制御部１６が避難支援プログラムを実行することによって実現される各種の機能を示す機能ブロック図である。制御部１６が避難支援プログラムを実行することによって、携帯端末装置１は、津波警報受信部３１、津波情報受信部３２、現在位置測位部３３、現在位置情報記憶部３４、避難場所情報取得部３５、避難場所情報記憶部３６、地図情報記憶部３７、判定部３８、津波高さ取得部３９、想定津波高さ記憶部４０、避難場所決定部４１、避難経路作成部４２、避難情報表示部４３、および避難情報転送部４４として機能する。
【００２８】
津波警報受信部３１は、全国の沿岸を地域ごとに分割した複数の津波予報区のうち、津波の発生が予想される津波予報区の情報を含む津波警報を、通信ネットワーク２を介して津波警報配信装置３から受信する。
【００２９】
津波情報受信部３２は、津波の発生が予想される津波予報区について予想されている津波の高さの情報を含む津波情報を、通信ネットワーク２を介して津波警報配信装置３から受信する。
【００３０】
津波警報は、地震発生後、津波による災害の発生が予想される場合に気象庁によって発表される。また、津波情報は、津波警報を発表した場合に、気象庁によって発表され、各津波予報区の津波の到達予想時刻や予想される津波の高さなどの情報を含んでいる。
【００３１】
津波警報配信装置３は、気象庁あるいは配信サービスを提供する事業者に設置され、津波警報や津波情報が気象庁から発表されると、その津波警報、津波情報を携帯端末装置１へ配信する。
【００３２】
現在位置測位部３３は、自装置が現在所在している位置の緯度・経度を測位し、測位した現在位置の緯度・経度情報（以下、「現在位置情報」と称する）を、現在位置情報記憶部３４へ格納する。現在位置情報記憶部３４は、現在位置測位部３３によって得られた最新の現在位置情報を記憶する。
【００３３】
避難場所情報取得部３５は、全国の避難場所に関する避難場所情報が蓄積された避難場所蓄積装置４に対して、現在位置情報記憶部３４に記憶されている現在位置情報を送信することにより、全国の避難場所の中から、自装置周辺に位置する避難場所に関する避難場所情報を要求する。そして、この要求に応答して避難場所蓄積装置４が送信した所望の情報を含む信号を受信することによって、自装置周辺に位置する避難場所に関する避難場所情報を取得する。
【００３４】
避難場所情報取得部３５は、この取得処理を、予め定める周期で定期的に実行するとともに、津波警報受信部３１が津波警報を受信すると実行し、取得した避難場所情報を避難場所情報記憶部３６へ格納する。避難場所情報記憶部３６は、避難場所情報取得部３５によって取得された最新の避難場所情報を記憶する。
【００３５】
なお、本実施形態では、自装置周辺に位置する避難場所に関する避難場所情報を、定期的に避難場所蓄積装置４に問い合わせるように構成されているが、他の実施形態では、避難場所情報記憶部３６自体が、全国の避難場所に関する避難場所情報を予め記憶しておくように構成してもよい。あるいは本体と分離可能な記憶媒体から避難場所情報を取得するように構成してもよい。
【００３６】
地図情報記憶部３７は、全国の地図情報を記憶する。判定部３８は、津波警報受信部３１が津波警報を受信した場合に、現在位置情報記憶部３４に記憶されている現在位置情報に基づいて、自装置が津波の発生が予想される津波予報区内に存在するか否かを判定する。
【００３７】
なお、本実施形態では、全国の地図情報を事前に記憶しておく構成であればよく、例えば出荷時にすでに記憶させておく、あるいはユーザによって通信ネットワークを介して図示しない地図情報提供サーバーから取得しておいてもよいし、本体と分離可能な記憶媒体から地図情報を取得するように構成してもよい。
【００３８】
津波高さ取得部３９は、判定部３８によって、自装置が津波の発生が予想される津波予報区内に存在すると判定された場合に、津波情報受信部３２によって受信された津波情報に基づいて、自装置が存在している津波予報区について予想されている津波の高さを取得する。
【００３９】
想定津波高さ記憶部４０は、全国の各津波予報区について、津波予報区とその津波予報区に関して想定されている最も大きな津波の高さとが関連付けられた情報が予め記憶されている。
【００４０】
避難場所決定部４１は、判定部３８によって、自装置が津波の発生が予想される津波予報区内に存在すると判定されると、津波高さ取得部３９によって取得された津波の高さと、現在位置情報記憶部３４に記憶されている現在位置情報と、避難場所情報記憶部に記憶されている避難場所情報とに基づいて、自装置周辺に位置する避難場所の中から最適な避難場所を決定する。
【００４１】
最適な避難場所の決定方法の一例を挙げると、避難場所決定部４１は、取得された津波の高さと、自装置周辺に位置する各避難場所についての対応可能な津波の高さとを比較することにより、避難可能な避難場所を抽出し、さらに、抽出した各避難場所の位置と自装置の現在位置との距離を考慮して、最適な避難場所を決定する。
【００４２】
通常、津波情報は、津波警報に遅れて発表される。したがって、津波情報受信部３２が津波情報を受信するタイミングは、津波警報受信部３１が津波警報を受信するタイミングよりも時間的に遅れる。このタイムラグによって、津波警報配信装置３が津波情報を配信した時点では、既に輻輳が発生して、津波情報受信部３２が津波情報を受信できない場合も考えられる。
【００４３】
そこで、避難場所決定部４１は、津波警報受信部３１が津波警報を受信してから予め定める時間内に津波情報受信部３２が津波情報を受信しない場合には、想定津波高さ記憶部４０に記憶されている情報を利用して、最適な避難場所を決定する。最適な避難場所の決定方法は、前記の例において、津波高さ取得部３９によって取得された津波の高さに代えて、自装置が存在している津波予報区に関して想定されている最も大きな津波の高さを用いればよい。
【００４４】
避難経路作成部４２は、現在位置情報記憶部３４に記憶されている現在位置情報と、避難場所決定部４１によって決定された最適な避難場所の位置情報と、地図情報記憶部３７に記憶されている地図情報とに基づいて、予め設定されている経路探索アルゴリズムに従って、現在位置から最適な避難場所までの避難経路を作成する。
【００４５】
避難情報表示部４３は、避難経路作成部４２によって避難経路が作成されると、表示装置２１の画面に、最適な避難場所および避難経路を含む避難情報を表示する。これにより、携帯端末装置１のユーザは、画面に表示された避難情報を確認することで、最適な避難場所まで容易に素早く避難することができる。
【００４６】
避難情報転送部４４は、避難経路作成部４２によって避難経路が作成されると、近距離無線通信モジュール１４を介して、最適な避難場所および避難経路を含む避難情報を、自装置の周辺に存在している、携帯端末装置１との間で近距離無線通信可能に構成されている端末装置５に対して転送する。
【００４７】
図３は、避難支援プログラムの実行時の処理手順を示すフローチャートである。図４は、避難支援プログラムの実行時の携帯端末装置１の動作を説明するための図である。
【００４８】
処理が開始されると、ステップｓ１に進む。ステップｓ１で、津波警報受信部３１が、津波警報配信装置３から配信された津波警報を受信すると、ステップｓ２に進む。ステップｓ２で、避難場所情報取得部３５は、避難場所蓄積装置４に対して、自装置周辺に位置する避難場所に関する避難場所情報を問合せ、避難場所情報を取得できた場合には、ステップｓ３に進み、避難場所情報を取得できなかった場合には、ステップｓ４に進む。
【００４９】
ステップｓ３で、避難場所情報取得部３５は、取得した避難場所情報を避難場所情報記憶部３６へ格納し、ステップｓ４に進む。ステップｓ４で、判定部３８は、現在位置情報記憶部３４に記憶されている現在位置情報に基づいて、自装置が津波の発生が予想される津波予報区内に存在するか否かを判定し、津波の発生が予想される津波予報区内に存在している場合にはステップｓ５に進み、存在していない場合には処理を終了する。
【００５０】
ステップｓ５で、津波警報受信部３１が津波警報を受信してから予め定める時間内に、津波情報受信部３２が津波情報を受信した場合には、ステップｓ６に進み、受信できなかった場合には、ステップｓ７に進む。
【００５１】
ステップｓ６で、津波高さ取得部３９は、津波情報受信部３２によって受信された津波情報に基づいて、自装置が存在している津波予報区について予想されている津波の高さを取得し、ステップｓ８に進む。
【００５２】
ステップｓ７で、避難場所決定部４１は、想定津波高さ記憶部４０に記憶されている情報の中から、自装置が存在している津波予報区について関して想定されている最も大きな津波の高さを取得し、ステップｓ８に進む。
【００５３】
ステップｓ８で、避難場所決定部４１は、取得された津波の高さと、現在位置情報と、避難場所情報とに基づいて、自装置周辺に位置する避難場所の中から最適な避難場所を決定し、ステップｓ９に進む。
【００５４】
ステップｓ９で、避難経路作成部４２は、ステップｓ８で決定された最適な避難場所の位置情報と、現在位置情報と、地図情報記憶部３７に記憶されている地図情報とに基づいて、予め設定されている経路探索アルゴリズムに従って、現在位置から最適な避難場所までの避難経路を作成し、ステップｓ１０に進む。
【００５５】
ステップｓ１０で、避難情報表示部４３は、表示装置２１の画面に、最適な避難場所および避難経路を含む避難情報を表示し、ステップｓ１１に進む。ステップｓ１１で、避難情報転送部４４は、図４に示すように、近距離無線通信モジュール１４を介して、最適な避難場所および避難経路を含む避難情報を、自装置の周辺に存在している、携帯端末装置１との間で近距離無線通信可能に構成されている端末装置５に対して転送し、処理を終了する。
【００５６】
以上のように、本実施形態によれば、携帯端末装置１は、津波警報を通信ネットワーク２を介して受信することができた場合には、自装置周辺に位置する最適な避難場所および自装置の現在位置から該最適な避難場所までの避難経路を含む避難情報を、自装置の画面に表示させるだけでなく、該最適な避難情報を、自装置の周辺に存在している、携帯端末装置１との間で近距離無線通信可能に構成されている端末装置５に対して転送するように構成されている。
【００５７】
したがって、津波警報を受信することができず、最適な避難場所や避難経路の情報を自装置において作成することができなかった端末装置５であっても、携帯端末装置１と近距離無線通信を行うことによって、最適な避難場所および避難経路の情報を取得することができる。これにより、その端末装置５のユーザは、取得した情報を確認することで、最適な避難場所まで容易に素早く避難することができる。
【００５８】
また、本実施形態によれば、携帯端末装置１は、自装置の現在位置情報に基づいて、避難場所蓄積装置４から自装置周辺に位置する避難場所の避難場所情報を定期的に取得するように構成されているので、避難場所蓄積装置４において全国の避難場所に関する避難場所情報が随時更新されている場合には、最新の避難場所情報に基づいて、最適な避難場所を決定することができる。
【００５９】
また、本実施形態によれば、携帯端末装置１は、輻輳が発生するなどに起因して、津波情報受信部３２が津波情報を受信できなかった場合であっても、自装置が存在している津波予報区に関して想定されている最も大きな津波の高さに基づいて最適な避難場所を決定するように構成されているので、携帯端末装置１のユーザは、最適な避難場所および避難経路の情報を確実に取得することができる。
【００６０】
上記の実施形態では、避難支援プログラムは、フラッシュメモリなどの半導体メモリによって実現される記憶部１５に記憶されているが、このような記憶装置に限定されるものではなく、コンピュータで読取り可能な記憶媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００６１】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００６２】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００６３】
１  携帯端末装置
１２  ＧＰＳユニット
１３  移動体通信モジュール
１４  近距離無線通信モジュール
１５  記憶部
１６  制御部
２１  表示装置
３１  津波警報受信部
３２  津波情報受信部
３３  現在位置測位部
３４  現在位置情報記憶部
３５  避難場所情報取得部
３６  避難場所情報記憶部
３７  地図情報記憶部
３８  判定部
３９  津波高さ取得部
４０  想定津波高さ記憶部
４１  避難場所決定部
４２  避難経路作成部
４３  避難情報表示部
４４  避難情報転送部
【図１】
2014174759.tif 000003
【図２】
2014174759.tif 000004
【図３】
2014174759.tif 000005
【図４】
2014174759.tif 000006